(57)【特許請求の範囲】
【請求項１】
相互に直角に曲折された取付板と支持板を有する縦長の基枠の該支持板に、表枠ロック爪が背面側に突出し且つ傾動可能に枢支されると共に、該基枠内に作動帯板が該表枠ロック爪を解錠動作させるために該支持板に沿って上下に摺動可能に配設され、シリンダ錠が錠軸を基枠の内側に挿入し正面側に突出して該取付板に取り付けられ、該錠軸に固定されたカム部材に、該作動帯板と係合可能な係合凸部が設けられ、該基枠が遊技機の本体枠に対し開閉可能な表枠の内側に縦に取り付けられ、本体枠側に取り付けられた受け金具の係止部に、該表枠ロック爪が係止されて表枠が施錠される遊技機用施錠装置において、
該表枠ロック爪は、該支持板に枢支された第１表枠ロック爪と該第１表枠ロック爪の側面に該第１表枠ロック爪の枢軸とは異なった位置の枢軸を介して揺動可能に枢支された第２表枠ロック爪とから構成され、該第２表枠ロック爪には該受け金具の係止孔に係止可能な先端爪部を含む部分が側面視で略コ字状として形成され、該第２表枠ロック爪と基枠間にばね部材が掛けられて該第２表枠ロック爪が該係止孔に係止される方向に付勢され、該第２表枠ロック爪の先端爪部が受け金具の係止孔に係止されることにより、該第１表枠ロック爪の解錠側への傾動がロックされることを特徴とする遊技機用施錠装置。
【請求項２】
前記作動帯板の移動時に、該作動帯板の係合部が前記第２表枠ロック爪の元部の係合凸部に係合して、該第２表枠ロック爪が前記第１表枠ロック爪上の枢軸を軸に傾動したとき、該先端爪部の受け金具の係止孔に対する係合が外れて、該第１表枠ロック爪と該第２表枠ロック爪とが受け金具の係止部から外れ、表枠が解錠されることを特徴とする請求項１記載の遊技機用施錠装置。
【請求項３】
前記基枠内には、上下に１対のガラス枠ロック爪が取付板の開口部から正面側に突出し且つ摺動可能に配設され、前記作動帯板には、該ガラス枠ロック爪に設けた係合凸部と係合可能な係合凹部が設けられ、該作動帯板を前記表枠ロック爪の解錠側と反対方向に移動させたとき、該ガラス枠ロック爪が摺動して解錠動作することを特徴とする請求項２記載の遊技機用施錠装置。
【請求項４】
前記カム部材には、第１係合凸部と第２係合凸部が設けられ、前記作動帯板には該カム部材の第１係合凸部と第２係合凸部が進入して嵌合する係合孔が各々設けられ、施錠状態において該第１係合凸部と第２係合凸部が該作動帯板の係合孔に嵌入した状態を保持して、該作動帯板の解錠側への摺動を阻止し、解錠時には該カム部材の該第１係合凸部または第２係合凸部が該係合孔内にさらに進入して該作動帯板を摺動させることを特徴とする請求項３記載の遊技機用施錠装置。
【請求項５】
相互に直角に曲折された取付板と支持板を有する縦長の基枠の該支持板に、ガラス枠ロック爪が正面側に突出し且つ傾動可能に枢支されると共に、該基枠内に作動帯板が該ガラス枠ロック爪を解錠動作させるために該支持板に沿って上下に摺動可能に配設され、シリンダ錠が錠軸を基枠の内側に挿入し正面側に突出して該取付板に取り付けられ、該錠軸に固定されたカム部材に、該作動帯板と係合可能な係合凸部が設けられ、該基枠が遊技機の表枠の内側に縦に取り付けられ、該表枠の正面側に開閉可能に装着されたガラス枠側の受け金具の係止部に、該ガラス枠ロック爪が係止されて該ガラス枠が施錠される遊技機用施錠装置において、
該ガラス枠ロック爪は、該支持板に枢支された第１ガラス枠ロック爪と該第１ガラス枠ロック爪の側面に該第１ガラス枠ロック爪の枢軸とは異なる位置の枢軸を介して揺動可能に枢支された第２ガラス枠ロック爪とから構成され、第２ガラス枠ロック爪には該受け金具の係止孔に係止可能な先端爪部を含む部分が側面視で略コ字状として形成され、該第２ガラス枠ロック爪と基枠間にばね部材が掛けられて該第２ガラス枠ロック爪が該係止孔に係止される方向に付勢され、第２ガラス枠ロック爪の先端爪部が受け金具の係止孔に係止されることにより、該第１ガラス枠ロック爪の解錠側への傾動がロックされることを特徴とする遊技機用施錠装置。
【発明の詳細な説明】
【技術分野】
【０００１】
本発明は、パチンコ機などの遊技機に使用される施錠装置に関し、特に施錠状態におけるロック爪の動きを完全にロックし、不正解錠を防止することができる遊技機用施錠装置に関する。
【背景技術】
【０００２】
例えば、パチンコ機の施錠装置として、従来、下記特許文献１に記載される構造の施錠装置が知られている。この施錠装置は、縦長でアングル材形の基枠の上部と下部に各々、パチンコ機の表枠を施錠するための表枠用ロック爪と、金枠（ガラス枠）を施錠するための金枠用ロック爪とを揺動可能に枢支すると共に、基枠内に上下の表枠用ロック爪を連結する表枠用帯板と上下の金枠用ロック爪を連結する金枠用帯板とを摺動可能に配設し構成される。
【０００３】
さらに、基枠の中間部にシリンダ錠が取り付けられ、シリンダ錠の錠軸先端に、カム部材が取り付けられ、カム部材が表枠用帯板と金枠用帯板に係合可能とされ、シリンダ錠の一方向の回動により、カム部材を表枠用帯板に係合させ同帯板を摺動させて表枠を解錠し、シリンダ錠の他方向への回動により、カム部材を金枠用帯板に係合させ同帯板を摺動させて金枠を解錠するように動作する。
【特許文献１】特開２００１−３８０２６号公報
【発明の開示】
【発明が解決しようとする課題】
【０００４】
この種のパチンコ機の施錠装置は、通常、表枠または金枠を閉じると、表枠用ロック爪または金枠用ロック爪が、自動的に傾動して、本体枠側の受け金具または表枠側の受け金具に係止されて施錠され、解錠する際には、シリンダ錠によりカム部材を回動させることにより、表枠用帯板または金枠用帯板を摺動させて解錠操作する。このため、施錠状態において、表枠の隙間から針金などを差し込んで不正に表枠用帯板または金枠用帯板を移動させた場合、表枠用ロック爪または金枠用ロック爪が傾動して、不正解錠が可能となる問題があった。
【０００５】
このために、上記特許文献１の施錠装置では、施錠状態で表枠用帯板と金枠用帯板の移動をロックするロック部材とそのロックを解除するロック解除部材を取り付けている。しかしながら、このロック部材とロック解除部材は金枠用帯板に揺動可能に枢支され、表枠及び金枠の開閉時には揺動し、表枠用帯板などを係止する構造のため、表枠用帯板と金枠用帯板がキーによる解錠時に円滑に移動しない場合があり、また、ロック部材とロック解除部材及びそれらを付勢するコイルばねなどの部材が必要となって部品点数が増大し、製造時の組付工数も増大する課題があった。
【０００６】
本発明は、上述の課題を解決するものであり、簡単な構造により、施錠時のロック爪の動きをロックして不正解錠を防止することができる遊技機用施錠装置を提供することを目的とする。
【課題を解決するための手段】
【０００７】
本発明に係る請求項１の遊技機用施錠装置は、相互に直角に曲折された取付板と支持板を有する縦長の基枠の該支持板に、表枠ロック爪が背面側に突出し且つ傾動可能に枢支されると共に、該基枠内に作動帯板が該表枠ロック爪を解錠動作させるために該支持板に沿って上下に摺動可能に配設され、シリンダ錠が錠軸を基枠の内側に挿入し正面側に突出して該取付板に取り付けられ、該錠軸に固定されたカム部材に、該作動帯板と係合可能な係合凸部が設けられ、該基枠が遊技機の本体枠に対し開閉可能な表枠の内側に縦に取り付けられ、本体枠側に取り付けられた受け金具の係止部に、該表枠ロック爪が係止されて表枠が施錠される遊技機用施錠装置において、該表枠ロック爪は、該支持板に枢支された第１表枠ロック爪と該第１表枠ロック爪の側面に該第１表枠ロック爪の枢軸とは異なった位置の枢軸を介して揺動可能に枢支された第２表枠ロック爪とから構成され、第２表枠ロック爪には該受け金具の係止孔に係止可能な先端爪部を含む部分が側面視で略コ字状として形成され、該第２表枠ロック爪と基枠間にばね部材が掛けられて該第２表枠ロック爪が該係止孔に係止される方向に付勢され、第２表枠ロック爪の先端爪部が受け金具の係止孔に係止されることにより、該第１表枠ロック爪の解錠側への傾動がロックされることを特徴とする。
【０００８】
ここで、上記作動帯板の移動時に、作動帯板の係合部が第２表枠ロック爪の元部の係合凸部に係合して、第２表枠ロック爪が第１表枠ロック爪上の枢軸を軸に傾動したとき、その先端爪部の受け金具の係止孔に対する係合が外れて、第１表枠ロック爪と第２表枠ロック爪とが受け金具の係止部から外れ、表枠が解錠されるように構成することができる。
【０００９】
また、上記基枠内には、上下に１対のガラス枠ロック爪が取付板の開口部から正面側に突出し且つ摺動可能に配設され、上記作動帯板には、該ガラス枠ロック爪に設けた係合凸部と係合可能な係合凹部が設けられ、該作動帯板を上記表枠ロック爪の解錠側と反対方向に移動させたとき、該ガラス枠ロック爪が摺動して解錠動作するように構成することができる。
【００１０】
また、上記カム部材には、第１係合凸部と第２係合凸部が設けられ、該作動帯板には該カム部材の第１係合凸部と第２係合凸部が進入して嵌合する係合孔が各々設けられ、施錠状態において該第１係合凸部と第２係合凸部が該作動帯板の係合孔に嵌入した状態を保持して、該作動帯板の解錠側への摺動を阻止し、解錠時には該カム部材の該第１係合凸部または第２係合凸部が該係合孔内にさらに進入して該作動帯板を摺動させるように構成することができる。
【００１１】
また、本発明に係る請求項５の遊技機用施錠装置は、相互に直角に曲折された取付板と支持板を有する縦長の基枠の該支持板に、ガラス枠ロック爪が正面側に突出し且つ傾動可能に枢支されると共に、該基枠内に作動帯板が該ガラス枠ロック爪を解錠動作させるために該支持板に沿って上下に摺動可能に配設され、シリンダ錠が錠軸を基枠の内側に挿入し正面側に突出して該取付板に取り付けられ、該錠軸に固定されたカム部材に、該作動帯板と係合可能な係合凸部が設けられ、該基枠が遊技機の表枠の内側に縦に取り付けられ、該表枠の正面側に開閉可能に装着されたガラス枠の受け金具の係止部に、該ガラス枠ロック爪が係止されて該ガラス枠が施錠される遊技機用施錠装置において、該ガラス枠ロック爪は、該支持板に枢支された第１ガラス枠ロック爪と該第１ガラス枠ロック爪の側面に該第１ガラス枠ロック爪の枢軸とは異なる位置の枢軸を介して揺動可能に枢支された第２ガラス枠ロック爪とから構成され、第２ガラス枠ロック爪には該受け金具の係止孔に係止可能な先端爪部を含む部分が側面視で略コ字状として形成され、該第２ガラス枠ロック爪と基枠間にばね部材が掛けられて該第２ガラス枠ロック爪が該係止孔に係止される方向に付勢され、第２ガラス枠ロック爪の先端爪部が受け金具の係止孔に係止されることにより、該第１ガラス枠ロック爪の解錠側への傾動がロックされることを特徴とする。
【発明の効果】
【００１２】
上記請求項１の遊技機用施錠装置では、施錠状態において、第２表枠ロック爪の先端爪部を含む部分が側面視で略コ字状に形成され、その先端爪部が受け金具の係止孔に係止されるため、遊技機の表枠と本体枠の隙間から針金などの不正器具を差し込み、その先端で引っ掛けて、第１表枠ロック爪を解錠側へ枢軸を軸に傾動させようとしても、第１表枠ロック爪は、第２表枠ロック爪の先端爪部の係止によって受け金具に対しロックされているため、全く傾動せず、不正解錠を防止することができる。
【００１３】
また、施錠状態においては、カム部材の係合凸部が、作動帯板の係合孔に嵌入した状態を保持して、作動帯板の解錠側への摺動を阻止するため、不正器具の先端を引っ掛けて作動帯板を動かし第１、第２表枠ロック爪を傾動させようとしても、作動帯板は摺動せず、不正解錠を防止することができる。また、本施錠装置によれば、従来のようにロック部材やロック解除部材を取り付ける必要がなく、比較的簡単に構成することができ、低コストで製造することが可能となる。さらに、請求項５の遊技機用施錠装置によれば、ガラス枠の施錠時にガラス枠ロック爪をロックして、ガラス枠ロック爪の不正解錠を防止することができる。
【発明を実施するための最良の形態】
【００１４】
以下、本発明の一実施形態を図面に基づいて説明する。図１はパチンコ遊技機用の施錠装置の右側面図を示し、図２はその背面図を示し、図３はその分解右側面図を示している。
【００１５】
本施錠装置は、基本的には、縦長で略チャンネル材形の基枠１の支持板１２の上部と下部に、パチンコ遊技機の表枠２１を施錠するための表枠ロック爪を揺動可能に枢支し、さらに、基枠１の上部と中央下寄りにガラス枠ロック爪６，７を摺動可能に配設し、上下の表枠ロック爪及びガラス枠ロック爪６，７を解錠方向に傾動させる作動帯板８を基枠１内に摺動可能に配設し、基枠１の取付板１１の中間部下寄りにシリンダ錠９を取り付け、シリンダ錠９の錠軸先端に固定したカム部材１０を、作動帯板８に係合可能として構成される。
【００１６】
基枠１は、図３、図４の分解図に示すように、断面コ字状の略チャンネル材状に形成され、その底板となる取付板１１と、取付板１１から直角に立ち上がるように曲折された支持板１２とを有している。上部と下部の表枠ロック爪は、各々第１表枠ロック爪２，３と第２表枠ロック爪４，５とから構成され、第１表枠ロック爪２，３がその中間部を支持板１２に対し枢軸２ａ，３ａにより軸支され、施錠位置から解錠位置の間の所定（約３０度）の角度範囲で揺動可能に枢支されている。第１表枠ロック爪２，３は略直角形状のフック部を係止部分に設けて形成され、さらに、第１表枠ロック爪２，３の側部には、第２表枠ロック爪４，５に係合可能な係合部２ｂ、３ｂが突設されている。
【００１７】
図２、図４に示すように、基枠１の支持板１２の上部に、第１表枠ロック爪２が枢軸２ａを介して水平状態で背面側に突出し且つ水平位置から下方に傾動可能に軸支される。また同様に、支持板１２の下部に、第１表枠ロック爪３が枢軸３ａを介して水平状態で背面側に突出し且つ水平位置から下方に傾動可能に軸支されている。
【００１８】
第２表枠ロック爪４，５は、各第１表枠ロック爪２，３の側部（側面）に、枢軸４ａ，５ａを介して所定（約１０度）の角度範囲で揺動可能に枢支されている。この枢軸４ａ，５ａは第１表枠ロック爪２，３の反フック係止部側の端部に設けられ、第２表枠ロック爪４，５はこの枢軸４ａ，５ａを軸に揺動可能である。図３に示すように、第２表枠ロック爪４，５のフック係止部は、側面視で略コ字状につまり第１表枠ロック爪２，３のように直角ではなく、略コ字状の鉤型に形成されて、その先端部に先端爪部４ｃ、５ｃが直角に突設される。施錠時に、この先端爪部４ｃ、５ｃは、後述の受け金具２３，２４の係止孔２３ｂ、２４ｂに嵌入して係止される構造となっている。
【００１９】
さらに、第２表枠ロック爪４，５の上部中央には、上記第１表枠ロック爪２，３の係合部２ｂ、３ｂに係合可能な係合部４ｂ、５ｂが開口部として設けられ、第２表枠ロック爪４，５が所定の範囲を超えて傾動（回動）したとき、第２表枠ロック爪４，５共に第１表枠ロック爪２，３が解錠方向または施錠方向に回動するようにしている。加えて、第２表枠ロック爪４，５の元部（末端部）には、作動帯板８と係合可能な係合凸部４ｄ、５ｄが突設され、この係合凸部４ｄ、５ｄには、ばね部材１５，１６（第１表枠ロック爪２，３と第２表枠ロック爪４，５を施錠側に付勢するためのコイルばね）の一端も掛止されている。
【００２０】
したがって、第１表枠ロック爪２，３と第２表枠ロック爪４，５は、常時、ばね部材１５，１６により施錠側に付勢される。そして、表枠２１を閉じて施錠する際、第１表枠ロック爪２，３と第２表枠ロック爪４，５は、受け金具２３，２４の係止部２３ａ，２４ａに当って解錠側に回動力を受けて、各々単独で回動し、受け金具２３，２４の係止部２３ａ，２４ａ、係止孔２３ｂ、２４ｂに係止され、施錠状態となる。そして、施錠状態においては、第２表枠ロック爪４，５の先端爪部４ｃ、５ｃが受け金具２３，２４の係止孔２３ｂ、２４ｂに嵌入し係止されているため、第１表枠ロック爪２，３を無理に解錠側に傾動させようとしても、先端爪部４ｃ、５ｃのロックにより傾動できず、針金などの不正器具による不正解錠は防止される。
【００２１】
一方、解錠時に、作動帯板８を解錠方向に摺動させたとき、その係合部８ａ、８ｂが第２表枠ロック爪４，５の係合凸部４ｄ、５ｄを上方に押す。このとき、第２表枠ロック爪４，５がその枢軸４ａ，５ａを軸に図１の時計方向に回動し、これによって先ず、先端爪部４ｃ、５ｃの係止が外れ、この後、第１表枠ロック爪２，３も解錠側に傾動し、解錠状態となるように動作する。
【００２２】
さらに、基枠１内の上部と中央部下寄りに、ガラス枠ロック爪６，７が、取付板１１に形成された矩形長孔１１ａ，１１ｂから正面側に突き出す形態で、上下に摺動可能に装着されている。図４に示すように、ガラス枠ロック爪６，７の基枠１内に位置する摺動部６ａ，７ａには、摺動方向に沿ってガイド孔６ｂ、７ｂが形成され、そのガイド孔６ｂ、７ｂにガイドピン６ｃ、７ｃが挿通され、ガイドピン６ｃ、７ｃの先端が取付板１１上に固定され、これにより、ガラス枠ロック爪６，７は所定の範囲で上下に摺動可能とされる。
【００２３】
また、ガラス枠ロック爪６，７の摺動部６ａ，７ａと取付板１１間には、ばね部材（コイルばね）１７，１８がガラス枠ロック爪６，７を施錠方向に付勢するように掛けられる。さらに、ガラス枠ロック爪６，７の摺動部６ａ，７ａの支持板側に、係合凸部６ｄ、７ｄが突設され、図３のように、作動帯板８の下降時、作動帯板８の係合凹部８ｃ、８ｄが係合凸部６ｄ、７ｄに係合するように形成され、ガラス枠ロック爪６，７をばね部材１７，１８の付勢力に抗して解錠方向に摺動させる。
【００２４】
一方、基枠１の取付板１１の中間部下寄りの正面には、シリンダ錠用の取付部が形成され、図３に示すように、シリンダ錠９は、その取付部からその錠軸９ｂを基枠１の内側に挿入するように、フランジ９ａを取付板１１に当て、固定ねじにて締め付け固定して取り付けられる。
【００２５】
シリンダ錠９の取付板１１の内側に突出した錠軸９ｂの先端に、カム部材１０が固定される。このカム部材１０には、第１係合凸部１０ａと第２係合凸部１０ｂが設けられ、図４に示すように、第１係合凸部１０ａと第２係合凸部１０ｂは、基枠１内で、支持板１２及び作動帯板８の側を向いて配設される。さらに、カム部材１０の第１係合凸部１０ａと第２係合凸部１０ｂは、施錠状態（キーによる解錠時以外の状態時）において、作動帯板８の係合孔８ｅ，８ｆ（図３）及び支持板１２の長孔１２ａに進入して嵌まり込み、作動帯板８の移動を阻止する構造となっている。
【００２６】
さらに、カム部材１０の第１係合凸部１０ａは、シリンダ錠９にキーを差し込み右に回したとき、図２の反時計方向に回動するが、このとき、第１係合凸部１０ａが係合孔８ｅ内にさらに進入して作動帯板８を上に摺動させるように形成されている。また、同様に、第２係合凸部１０ｂは、シリンダ錠９にキーを差し込み左に回したとき、図２の時計方向に回動するが、このとき、第２係合凸部１０ｂが係合孔８ｆ内にさらに進入して作動帯板８を下に摺動させるように形成されている。このように、カム部材１０の第１係合凸部１０ａと第２係合凸部１０ｂは従来のものより長く突出した形状に形成されており、回動時に障害とならないように、支持板１２の対向位置に長孔が形成され、第１係合凸部１０ａと第２係合凸部１０ｂの動きを逃がして許容するようにしている。
【００２７】
上述の如く、取付板１１の上部と中央部下寄りに、縦方向に矩形長孔１１ａ，１１ｂが形成され、その矩形長孔１１ａ，１１ｂから正面側に突き出すように、２個のガラス枠ロック爪６，７が配設され、それらのガラス枠ロック爪６，７の摺動部６ａ，７ａが、基枠１の内側に所定の範囲で上下摺動可能に装着される。ガラス枠ロック爪６，７の摺動部６ａ，７ａの支持板１２側に、係合凸部６ｄ、７ｄが突設され、この係合凸部６ｄ、７ｄに対し上記作動帯板８がその下方移動時に係合可能となっている。
【００２８】
作動帯板８の係合部８ａ〜８ｄは、各々、作動帯板８の所定位置に矩形凹部の縁部として形成され、作動帯板８が上に移動したとき、係合部８ａ，８ｂが第２表枠ロック爪４，５の係合凸部４ｄ、５ｄに係合して、先ず、第２表枠ロック爪４，５を枢軸４ａ，５ａを軸に背面側に傾動させ、次に、第１表枠ロック爪２，３を枢軸２ａ，３ａを軸に下側に傾動させ、表枠２１を解錠する。一方、作動帯板８が下側に移動したとき、係合部８ｃ，８ｄがガラス枠ロック爪６，７の係合凸部６ｄ、７ｄに係合して、ガラス枠ロック爪６，７を下側に摺動させ、ガラス枠２２が解錠される。
【００２９】
このように、作動帯板８は、基枠１内で支持板１２に沿って所定の範囲で上下に摺動可能とされるが、このために、作動帯板８には２個のガイド孔８ｇが形成され、そのガイド孔８ｇにガイドピン１３が挿入され、その先端が支持板１２の内側に円形に突設されたガイド支持部に固定される。これにより、作動帯板８はガイド孔８ｇにガイドピン１３にガイドされて所定の範囲内で摺動可能となっている。また、作動帯板８はガイドピン１３とガイド孔８ｇによって所定の上下範囲で移動可能にガイド支持されると共に、支持板１２の内面から少し離れた位置で、小さい摩擦抵抗により摺動可能に支持される構造となっている。
【００３０】
また、取付板１１上には作動帯板８をガイド支持するガイド凸部１１ｃが内側に突設され、作動帯板８をがたつきなく摺動支持するようにしている。さらに、作動帯板８には取付板１１と平行に折り曲げられた折り曲げ部が長手方向に沿って設けられ、作動帯板８の曲げ強度を向上させるようにしている。
【００３１】
上述のように、作動帯板８の下部寄りに形成した２個の係合孔８ｅ，８ｆには、通常の施錠時、シリンダ錠９の錠軸９ｂに固定したカム部材１０の第１係合凸部１０ａと第２係合凸部１０ｂが進入して嵌合しており、その状態で、シリンダ錠９に差し込んだキーを解錠のために右に回すと、第１係合凸部１０ａが図２の反時計方向に回動して作動帯板８を上方に移動させ、これにより、作動帯板８の係合部８ａ，８ｂが第２表枠ロック爪４，５の係合凸部４ｄ、５ｄに係合して、第２表枠ロック爪４，５及び第１表枠ロック爪２，３を背面側または下側に傾動させ、表枠２１を解錠する。
【００３２】
一方、シリンダ錠９に差し込んだキーを左に回すと、第２係合凸部８ｂが図２の時計方向に回動して作動帯板８を下方に移動させ、これにより、作動帯板８の係合部８ｃ，８ｄがガラス枠ロック爪６，７の係合凸部６ｄ、７ｄに係合して、ガラス枠ロック爪６，７を下側に摺動させ、ガラス枠２２を解錠する構造となっている。
【００３３】
上記構成の施錠装置は、図５に示すように、パチンコ遊技機の本体枠２０の前面に、ヒンジを介して開閉可能に装着された表枠２１の内側の自由端寄りに、縦に固定され、シリンダ錠９の正面鍵口は表枠２１の正面に露出し、第１表枠ロック爪２，３及び第２表枠ロック爪４，５は、表枠２１の背面側つまり本体枠２０側を向いて取り付けられる。
【００３４】
本体枠２０内における第１表枠ロック爪２，３の対応位置に、受け金具２３，２４が固定される。一方、表枠２１の上部正面には、ガラス枠２２がヒンジを介して開閉可能に取り付けられ、そのガラス枠２２の閉鎖時にガラス枠２２が嵌る表枠２１の正面部分の縁部に、１対のガラス枠ロック爪６，７が突出する。そして、ガラス枠２２の内側には、ガラス枠２２の閉鎖時に、ガラス枠ロック爪６，７が係止可能な係止部２５，２６がガラス枠２２の内側に設けられる。
【００３５】
パチンコ遊技機の本体枠２０に対し表枠２１を閉じると、施錠装置の第１表枠ロック爪２，３及び第２表枠ロック爪４，５の先端傾斜部が本体枠２０の内側の受け金具２３，２４に接触して、これらの表枠ロック爪が一旦下側に傾動し、ばね部材１５，１６の付勢力で元に戻ることにより、図７に示すように、第１表枠ロック爪２，３の係止凹部が受け金具２３，２４の係止部２３ａ，２４ａに係止され、且つ第２表枠ロック爪４，５の先端爪部４ｃ、５ｃが受け金具２３，２４の係止孔２３ｂ、２４ｂに嵌入し係止され、図６のような施錠状態となる。
【００３６】
このような表枠２１の施錠状態において、第２表枠ロック爪４，５の先端爪部４ｃ、５ｃを含む部分が側面視で略コ字状に形成され、その先端爪部４ｃ、５ｃが受け金具２３，２４の係止孔２３ｂ、２４ｂに係止され、且つ第２表枠ロック爪４，５の枢軸４ａ，５ａの位置が第１表枠ロック爪２，３の枢軸２ａ，３ａの位置から背面側に大きくずれて配置される。このため、遊技機の表枠２１と本体枠２０の隙間から針金などの不正器具を差し込み、その先端で引っ掛けて、第１表枠ロック爪２，３を解錠側へ枢軸を軸に傾動させようとしても、第１表枠ロック爪２，３は、第２表枠ロック爪４，５の先端爪部４ｃ、５ｃの係止によって受け金具２３，２４に対しロックされる。
【００３７】
したがって、第１表枠ロック爪２，３は、傾動不可能となり、表枠の隙間から針金などを差し込んで第１表枠ロック爪２，３を傾動させようとしても、不可能となって、不正解錠を防止することができる。また、施錠状態においては、カム部材１０の第１、第２係合凸部１０ａ，１０ｂが、作動帯板８の係合孔８ｅ，８ｆに嵌入した状態を保持して、作動帯板８の移動はロックされる。このため、不正器具の先端を引っ掛けて作動帯板８を動かし第１表枠ロック爪２，３及び第２表枠ロック爪４，５を傾動させようとしても、作動帯板８は摺動せず、不正解錠を防止することができる。
【００３８】
一方、表枠２１に対しガラス枠２２を閉じると、１対のガラス枠ロック爪６，７の先端傾斜部が、ガラス枠２２の内側の係止部２５，２６に当って一旦下側に摺動し、ばね部材１７，１８の付勢力によって上方に戻ることにより、ガラス枠ロック爪６，７がガラス枠２２の内側の係止部２５，２６に係止され、図６のように、ガラス枠２２が施錠される。
【００３９】
このような施錠状態となると、図６に示すように、カム部材１０はその第１係合凸部８ａと第２係合凸部８ｂが作動帯板８の係合孔６ｅ，６ｆ内に進入し、嵌合状態にあって、カム部材１０はシリンダ錠９により、つまりキーを抜いた状態のシリンダ錠では錠軸は回動できず、回動不可能であるから、作動帯板８は上下摺動を阻止される。したがって、表枠２１の隙間から針金などの不正工具を差し込んで、作動帯板８を動かして第１表枠ロック爪２，３やガラス枠ロック爪６，７を傾動させようとしても、作動帯板８は摺動せず、不正解錠を防止することができる。
【００４０】
表枠２１を解錠する場合、キーをシリンダ錠９に差し込み、右に回すと、カム部材１０の第１係合凸部１０ａが図２の反時計方向に回動して作動帯板８の係合孔８ｅに係合し、作動帯板８を上方に移動させる。このとき、先ず、作動帯板８の係合部８ａ，８ｂが第２表枠ロック爪４，５の係合凸部４ｄ、５ｄに係合して、図９のように、第２表枠ロック爪４，５を、枢軸４ａ，５ａを軸に背面側に傾動させる。このとき、第２表枠ロック爪４，５の先端爪部４ｃ、５ｃが受け金具２３の係止孔２３ｂ、２４ｂから外れる。次に、図１０、図１１のように、第１表枠ロック爪２，３が枢軸２ａ，３ａを軸に下側に傾動し、第１表枠ロック爪２，３及び第２表枠ロック爪４，５が受け金具２３，２４の係止部２３ａ，２４ａから外れ、表枠２１が解錠される。
【００４１】
ガラス枠２２を解錠する場合、シリンダ錠９にキーを差し込み、キーを左に回すと、カム部材１０の第２係合凸部１０ｂが図２の時計方向に回動して作動帯板８を下方に移動させる。これにより、作動帯板８の係合部８ｃ，８ｄがガラス枠ロック爪６，７の係合凸部６ｄ、７ｄに係合して、ガラス枠ロック爪６，７を下側に摺動させる。これにより、ガラス枠ロック爪６，７とガラス枠２２の係止部２５，２６との係合が外れ、ガラス枠２２が解錠される。
【００４２】
なお、上記実施形態では、表枠ロック爪に本発明を適用した例について説明したが、ガラス枠ロック爪を揺動式（傾動式）とした場合、本発明をその揺動式のガラス枠ロック爪に適用することもできる。この場合、ガラス枠ロック爪は第１ガラス枠ロック爪と第２ガラス枠ロック爪とから構成され、第１ガラス枠ロック爪は、支持板に枢軸を介して揺動可能に枢支され、第２ガラス枠ロック爪が、その第１ガラス枠ロック爪の枢軸とは異なる位置の枢軸を介して、第１ガラス枠ロック爪の側部に枢支される。そして、第２ガラス枠ロック爪の先端に先端爪部が設けられ、施錠時、受け金具の係止孔にその先端爪部が係止されて第１ガラス枠ロック爪がロックされる。
【図面の簡単な説明】
【００４３】
【図１】本発明の一実施形態を示す遊技機用施錠装置の右側面図である。
【図２】同施錠装置の背面図である。
【図３】同施錠装置の分解右側面図である。
【図４】同施錠装置の分解背面図である。
【図５】使用状態を示す、表枠、ガラス枠を開いた状態の部分断面付き右側面図である。
【図６】使用状態を示す、表枠、ガラス枠を閉じた状態の部分断面付き右側面図である。
【図７】施錠状態の部分拡大右側面図である。
【図８】表枠の解錠時に第２表枠ロック爪がロックを解除した状態の右側面図である。
【図９】表枠の解錠時に第２表枠ロック爪がロックを解除した状態の部分拡大右側面図である。
【図１０】表枠の解錠時に第１表枠ロック爪が傾動し解錠した状態の右側面図である。
【図１１】表枠の解錠時に第１表枠ロック爪が傾動し解錠した状態の右側面図である。
【図１２】ガラス枠の解錠時にガラス枠ロック爪が摺動した状態の右側面図である。
【図１３】使用状態を示す断面付き拡大平面図である。
【符号の説明】
【００４４】
１      基枠
２      第１表枠ロック爪
２ａ    枢軸
３      第１表枠ロック爪
３ａ    枢軸
４      第２表枠ロック爪
４ａ    枢軸
６      ガラス枠ロック爪
８      作動帯板
８ａ    係合部
８ａ    第１係合凸部
８ｂ    第２係合凸部
８ｃ    係合凹部
８ｃ    係合部
９      シリンダ錠
９ｂ    錠軸
１０    カム部材
１０ａ  第１係合凸部
１０ｂ  第２係合凸部
１１    取付板
１１ａ  矩形長孔
１２    支持板
２０    本体枠
２１    表枠
２２    ガラス枠
２５    係止部
【図１】
0004753790.tif 000002
【図２】
0004753790.tif 000003
【図３】
0004753790.tif 000004
【図４】
0004753790.tif 000005
【図５】
0004753790.tif 000006
【図６】
0004753790.tif 000007
【図７】
0004753790.tif 000008
【図８】
0004753790.tif 000009
【図９】
0004753790.tif 000010
【図１０】
0004753790.tif 000011
【図１１】
0004753790.tif 000012
【図１２】
0004753790.tif 000013
【図１３】
0004753790.tif 000014